(57)【要約】【課題】  保存用記録媒体に記録した著作権管理されるコピーワンスのコンテンツを端末用記録媒体にムーブした後に、保存用記録媒体にコンテンツの連続性を保ったまま書き戻すことのできる著作権保護情報の管理方法を実現することにある。【解決手段】音声や動画像を含み保存用記録媒体１５に記録されるコンテンツを端末用記録媒体２１にムーブした後に、保存用記録媒体１５に書き戻す著作権保護情報の管理方法を、コンテンツを端末用記録媒体にムーブするときは、コンテンツよりも大きな仮想ファイルを保存用記録媒体１５に形成しておき、書き戻し時にはコンテンツを記録領域に上書き記録するようにして、書き戻されたコンテンツの連続性が保たれるようにした著作権保護情報の管理方法を実現した。【選択図】      図１
2005348091.tif 000002
【特許請求の範囲】
【請求項１】
音声や動画像を含み１回のみコピーの許可される著作権保護がされているコンテンツ情報をダウンロードして保存用記録媒体に記録し、前記コンテンツ情報を前記保存用記録媒体から端末用記録媒体に移動した後、前記端末用記録媒体から前記保存用記録媒体に戻す際に、前記コンテンツ情報の音声や動画像が途切れることなく、前記保存用記録媒体に前記コンテンツ情報を戻す際の著作権保護情報の管理方法において、
前記保存用記録媒体から前記端末用記録媒体に移動するときには、前記保存用記録媒体に記録されているコンテンツ情報を前記端末用記録媒体に送ると共に前記コンテンツ情報を消去し、前記コンテンツ情報が記録されていた元の領域を前記保存用記録媒体に確保した後、前記端末用記録媒体から前記保存用記録媒体に戻すときには、前記端末用記録媒体に記録されているコンテンツ情報を前記保存用記録媒体の前記元の記録領域に送ることを特徴とする著作権保護情報の管理方法。
【請求項２】
音声や動画像を含み１回のみコピーの許可される著作権保護がされているコンテンツ情報をダウンロードして保存用記録媒体に記録し、前記コンテンツ情報を前記保存用記録媒体から端末用記録媒体に移動した後、前記端末用記録媒体から前記保存用記録媒体に戻す際に、前記コンテンツ情報の音声や動画像が途切れることなく、前記保存用記録媒体に前記コンテンツ情報を戻す際の著作権保護情報の管理方法において、
前記保存用記録媒体から前記端末用記録媒体に移動するときには、前記保存用記録媒体に記録されているコンテンツ情報を圧縮して縮小されたデータサイズの圧縮変換情報を前記端末用記録媒体に送ると共に前記コンテンツ情報を消去し、前記データサイズの記録領域を前記保存用記録媒体に確保した後、前記端末用記録媒体から前記保存用記録媒体に戻すときには、前記端末用記録媒体に記録されている前記圧縮変換情報を前記保存用記録媒体の前記記録領域に送ると共に消去し、前記記録領域は、前記圧縮変換情報の容量を確保する十分な領域であることを特徴とする著作権保護情報の管理方法。
【発明の詳細な説明】
【技術分野】
【０００１】
本発明は、再コピー禁止(移動のみ許可)される映像や音声などの著作権保護されるコンテンツ情報を保存用記録媒体から端末用記録媒体にムーブ（移動）し、さらにムーブされたコンテンツを保存用記録媒体に映像や音声などの連続性を保って書き戻す著作権保護情報の管理方法に関する。
【背景技術】
【０００２】
近年、ＢＳディジタル放送、地上波ディジタル放送が開始され高画質の映像信号を受信できる様になってきた。そして、高画質の映像信号をそのまま記録できる家庭用ディジタルＶＴＲ、ハードディスクを記録媒体として用いるハードディスクレコーダも商品化されている。ハードディスクレコーダは放送中の番組を現在から過去に連続的にタイムシフトしながら視聴できるキャッシュ再生や過去に記録を開始した映像信号を、現在記録中の映像信号に追いつくようにして再生できる追っかけ再生などの便利な機能を有しており、従来のタイムシフトマシンとして利用されている。大容量のハードディスクを用いる場合では多数の映像をライブラリーとしての保存も行うホームサーバーとしての利用もなされる。さらには、ハードディスクレコーダにＤＶＤ記録機能を搭載する応用商品も出現している。
【０００３】
一方、信号の劣化が少なく放送され、高画質で記録されるディジタルコンテンツに対する著作権保護も必要であり、コピー数を限定して放送する運用もなされている。そして、今後は１回だけのコピーを許可するコピーワンスの制限付きでなされる放送も増加傾向にある。即ち、コピーワンス制限付き番組を他の記録媒体に記録するときは、記録と同時に元の記録媒体に記録された信号を消去することにより記録数を１つに保つ方法である。いわゆる、記録された番組の「ムーブ」がそれに該当する。ホームサーバに記録したディジタル放送を取外し可能な携帯型の媒体にムーブし、外出先で視聴し、その後保存用ライブラリーとしてホームサーバにムーブするなどの用途も多くなるものと考えられる。
【０００４】
特許文献１には、コピー権利数が制限されているコンテンツを他の記録媒体に記録するに際し、予めコピー制限数と同じ数のコピー管理用ファイルをコピ−元の記録媒体に準備しておき、コンテンツを他の媒体にコピーするときにはコピー管理用ファイルをムーブすることにより他の媒体にコンテンツをコピーする。コンテンツを他の記録媒体にコピーする毎にコピー管理用ファイルも転送されるため、コピ−元の記録媒体はコピー回数が制限数以下に管理できる。他の媒体がコピーされたコンテンツを消去するときには、他の媒体に記録されているコピー管理用ファイルを元の記録媒体に転送するようにするため、コピー数を減じる管理も出来るコピーコンテンツの管理方法が開示されている。
【特許文献１】特開２００２−３５８２４１号公報
【発明の開示】
【発明が解決しようとする課題】
【０００５】
しかしながら、家庭内の据置型記録装置に記録したコピーワンス制限の付されるコンテンツを携帯型の記録媒体にムーブし、そのコンテンツの視聴後に再び据置型記録装置に再ムーブするときには、元の記録位置とは異なる位置に記録されることになる。そして、再ムーブされるまでの間に他の番組が記録される場合には、他の番組を挟んで分割されて再ムーブ記録されることもある。分割されて記録されたコンテンツであるＡＶ（Audio visual）ビットストリームは、ランダムアクセスにより順番に読み出すことは可能であるものの分割された個所のアクセスには所定のアクセス時間が必要であり、その間にビットストリームが断続されることになる。即ち、断続されるビットストリームは転送レートの高い例えばＨＤＴＶ（High Definition TV）の場合は映像の連続性が失われて動きが不自然な映像として再生される。また、ＳＤＴＶ（standard definition television）の映像の場合であっても早送り、早戻し再生時にはビットストリームが断続され、そこではスムーズな高速再生映像が得られない。音声も雑音が混入される。
【０００６】
そこで、本発明は、上記のような問題点を解消するためになされたもので、記録媒体に記録した媒体記録数の制限されるコンテンツを他の記録媒体にムーブ（移動）し、その後の再ムーブによりコンテンツを再記録する際に、再記録されるコンテンツは連続的に記録媒体に記録される様にし、転送レートの高いビットストリームに対して、及び記録したコンテンツの早送り、早戻しなどの特殊再生を行う場合であっても復号して得られる映像信号はスムーズな高速再生映像として得ると共に、データ量を変更してムーブするときには、記録媒体の記録領域を有効に活用するように改善する著作権保護情報の管理方法を提供することを目的とする。
【課題を解決するための手段】
【０００７】
本願発明における第１の発明は、音声や動画像を含み１回のみコピーの許可される著作権保護がされているコンテンツ情報をダウンロードして保存用記録媒体に記録し、前記コンテンツ情報を前記保存用記録媒体から端末用記録媒体に移動した後、前記端末用記録媒体から前記保存用記録媒体に戻す際に、前記コンテンツ情報の音声や動画像が途切れることなく、前記保存用記録媒体に前記コンテンツ情報を戻す際の著作権保護情報の管理方法において、前記保存用記録媒体から前記端末用記録媒体に移動するときには、前記保存用記録媒体に記録されているコンテンツ情報を前記端末用記録媒体に送ると共に前記コンテンツ情報を消去し、前記コンテンツ情報が記録されていた元の領域を前記保存用記録媒体に確保した後、前記端末用記録媒体から前記保存用記録媒体に戻すときには、前記端末用記録媒体に記録されているコンテンツ情報を前記保存用記録媒体の前記元の記録領域に送ることを特徴とする著作権保護情報の管理方法を提供する。
第２の発明は、音声や動画像を含み１回のみコピーの許可される著作権保護がされているコンテンツ情報をダウンロードして保存用記録媒体に記録し、前記コンテンツ情報を前記保存用記録媒体から端末用記録媒体に移動した後、前記端末用記録媒体から前記保存用記録媒体に戻す際に、前記コンテンツ情報の音声や動画像が途切れることなく、前記保存用記録媒体に前記コンテンツ情報を戻す際の著作権保護情報の管理方法において、前記保存用記録媒体から前記端末用記録媒体に移動するときには、前記保存用記録媒体に記録されているコンテンツ情報を圧縮して縮小されたデータサイズの圧縮変換情報を前記端末用記録媒体に送ると共に前記コンテンツ情報を消去し、前記データサイズの記録領域を前記保存用記録媒体に確保した後、前記端末用記録媒体から前記保存用記録媒体に戻すときには、前記端末用記録媒体に記録されている前記圧縮変換情報を前記保存用記録媒体の前記記録領域に送ると共に消去し、前記記録領域は、前記圧縮変換情報の容量を確保する十分な領域であることを特徴とする著作権保護情報の管理方法を提供する。
【発明の効果】
【０００８】
本発明によれば、保存用記録媒体から端末用記録媒体に移動するときには、保存用記録媒体に記録されているコンテンツ情報を端末用記録媒体に送ると共にコンテンツ情報を消去し、コンテンツ情報が記録されていた元の領域を保存用記録媒体に確保した後、コンテンツ情報を消去し、端末用記録媒体から保存用記録媒体に戻すときには、端末用記録媒体に記録されているコンテンツ情報を保存用記録媒体の記録領域に送る格別なステップを有しているので、再記録されるコンテンツは連続的に保存用記録媒体に記録され、転送レートの高いビットストリームに対して、及び記録したコンテンツの早送り、早戻し再生などの特種再生（特殊再生）を行う場合であっても復号して得られる映像はスムーズな高速再生映像として得られる。
また、保存用記録媒体に記録されているコンテンツ情報を圧縮して縮小されたデータサイズの圧縮変換情報を端末用記録媒体に送ると共にコンテンツ情報を消去し、データサイズの記録領域を保存用記録媒体に確保した後、コンテンツ情報を消去し、端末用記録媒体から保存用記録媒体に戻すときには、端末用記録媒体に記録されている圧縮変換情報を保存用記録媒体の記録領域に送ると共に消去し、記録領域は、圧縮変換情報の容量を確保する十分な領域であるようにしているため、保存用記録媒体の記録領域を有効に活用するように改善できる。
【発明を実施するための最良の形態】
【０００９】
以下に本発明の実施例に係る著作権保護情報の管理方法について図１〜図５を用いて説明する。
図１は、本発明の実施に係る受信番組記録再生装置の概略構成を示した図である。
図２は、著作権管理に係るコンテンツデータの構造を示した図である。
図３は、本発明の実施に係り記録媒体に記録される番組の記録領域を例示した図である。
図４は、本発明の実施に係る再コピー禁止コンテンツのムーブに係る動作を示すフローチャートである。
図５は、本発明の実施に係る再コピー禁止コンテンツの書き戻しに係る動作を示すフローチャートである。
【００１０】
本発明の著作権保護情報の管理方法は、音声や動画像を含み１回のみコピーの許可される著作権保護がされているコンテンツ情報をダウンロードして保存用記録媒体に記録し、コンテンツ情報を保存用記録媒体から端末用記録媒体に移動した後、端末用記録媒体から保存用記録媒体に戻す際に、コンテンツ情報の音声や動画像が途切れることなく、保存用記録媒体にコンテンツ情報を再記録するという目的の著作権保護情報の管理方法を、保存用記録媒体から端末用記録媒体に移動するときには、保存用記録媒体に記録されているコンテンツ情報を端末用記録媒体に送ると共にコンテンツ情報を消去し、コンテンツ情報が記録されていた元の領域を保存用記録媒体に確保した後、コンテンツ情報を消去し、端末用記録媒体から保存用記録媒体に戻すときには、端末用記録媒体に記録されているコンテンツ情報を保存用記録媒体の記録領域に送ると共に消去するようにしたものである。
【００１１】
以下具体的に、著作権保護情報の管理方法につき、図１を参照して説明する。
同図に示す受信番組記録再生装置は、チューナ１１、データデコーダ１２、信号処理部Ａ１３、メモリインタフェースＡ１４、記録メディアＡ１５、信号処理部Ｂ１６、機器ＩＤ（Identification）メモリ１７、システムコントローラ１８、メモリインタフェースＢ１９、記録メディアＢ２１、映像出力部２２、音声出力部２３、操作キー部２４、及び操作表示部２５より構成される。
【００１２】
まず、空中線から入力されるコピーワンス（第１世代のコピーのみ許可）として著作権管理される放送番組をチューナ１１で復調し、ＭＰＥＧ（moving picture experts group）などで圧縮符号化され、時分割多重化されて受信される映像、音声、データ等の信号のそれぞれディジタルコンテンツ形式の信号に変換する。変換して得られる映像及び音声のそれぞれの信号はメモリインタフェースＡ１４に一時記憶され、所定の容量に蓄積された信号はハードディスクなどの記録メディアＡ１５に供給され、そこに記録される。信号処理部Ｂ１６ではデータに係るディジタルコンテンツ信号よりコピーワンスに係る著作権管理情報を得、システムコントローラ１８に伝送する。システムコントローラ１８は、記録メディアＡ１５に記録された番組の読み出し、他のメディアに対してなされるムーブ動作などを管理する。
【００１３】
次に、操作キー部２４が操作され、操作表示部２５に表示される動作モードのうち記録メディアＡ１５に記録されたディジタルコンテンツを着脱可能な記録メディアＢ２１にムーブする、システムコントローラ１８により管理されてなされる動作について述べる。
まず、記録メディアＡ１５に記録されたディジタルコンテンツ信号は読み出され、メモリインタフェースＡ１４に一時記憶された後信号処理部Ｂ１６に供給される。そこでは、必要に応じてＭＰＥＧなどで圧縮される信号よりも圧縮率の高い信号に変換される。データ量が変換された信号はメモリインタフェースＢ１９に一時記憶され、所定のデータ量の信号は記録メディアＢ２１に記録されると共に、記録メディアＡ１５に記録されるコンテンツのうち記録メディアＢ２１に記録された部分のコンテンツ部分は消去される。即ち、記録メディアＡ１５に記録されたコンテンツは記録メディアＢ２１にムーブされる。その後、記録メディアＢ２１にムーブされたと同じデータ量のコンテンツ用記録領域及び著作権管理情報などを有する仮想ファイルが作成され、記録メディアＡ１５に記録される。
【００１４】
記録メディアＢ２１は受信番組記録再生装置から外され、図示しない携帯端末に装着されて視聴される。視聴した結果、そのコンテンツをライブラリとしての保存が希望されるときには、記録メディアＢ２１を受信番組記録再生装置に装着後、操作キー部２４を操作してコンテンツの書き戻しを行う。記録メディアＢ２１に記録されたコンテンツは記録メディアＡ１５の仮想ファイルが記録される領域に上書き記録される。上書きされたコンテンツの再生は、操作キー部２４が操作されて記録メディアＡ１５に記録されたディジタルコンテンツ信号は読み出され、メモリインタフェースＡ１４に一時記憶された後信号処理部Ｂ１６で圧縮符号化された信号は復号化され、映像出力部２２から映像信号が、音声出力部２３から音声信号が得られるようにしてなされる。ここで、コンテンツの書き戻しが記録メディアＡ１５上の離れた複数の領域になされるときには、その領域間をシークしてデータを再生するための検索時間が必要となり、得られるコンテンツのビットストリームが断続的となり、再生映像及び再生音声に不連続部分が生じ好ましくない。仮想ファイルを用いて書き戻し領域を連続的に確保する場合には、コンテンツが消去されてから書き戻しされる間に他の番組が録画される場合であっても、仮想ファイルの位置を避けて行われるため再生映像、再生音声を劣化させることはない。そのため、記録するコンテンツがＨＤＴＶ映像のようにデータレートが大きな信号に対してもメモリインタフェースＡ１４の一時記憶容量を増加させたり、また通常のＳＤＴＶ（standard definition television）の場合であっても早送り再生、早戻し再生を含めて動きが滑らかな再生映像を得ることができる。
そのときの仮想ファイルは連続する１つのファイルであることが好ましいが、仮に分割されるファイルであっても配置される領域が近接しているときにはアクセスに要する時間は少なくて済む。そのときの短時間の不連続となるビットストリームはメモリＩＦＡ１４が有するＦＩＦＯ（first in first out）の機能により連続なビットストリームとされ、そのビットストリームを再生して得られる映像や音声は途切れることのない連続な信号として表示される。信号処理部Ｂ１６が有するＭＰＥＧデコーダもメモリ機能を有している。要は、最初に記録されたコンテンツ情報よりも領域の分断数が増加することなくした、または記録領域の連続性が劣化することをなくしたコンテンツ情報として書き戻されることが重要である。
なお、機器ＩＤメモリ１７には受信番組記録再生装置を特定するための識別記号が記録されており、記録メディアＡ１５に記録される番組を記録メディアＢ２１にムーブするときに、その識別記号により特定される受信番組記録再生装置に記録されていたデータであることを識別することができるため、書き戻しが正しい組み合わせで正常になされる。
【００１５】
次に、図２を用いてコンテンツを記録メディアＡ１５、ないしは記録メディアＢ２１に記録する記録フォーマットについて説明する。
それらのメディアに記録される信号はヘッダ部、著作権管理情報部、補助データ部、及びＡＶデータである主データ部よりなっている。そのヘッダ部にはファイル名と、ヘッダ以下の各ブロックの先頭アドレス及びデータサイズなどが記述される。著作権管理情報部にはコンテンツ名、コンテンツＩＤ、コピー管理情報ＣＣＩ（２ビット）、権利数Ｎ（１バイト）、チェックアウト・イン管理情報（１００バイト）、仮想ファイルフラグ(１ビット)などが記述される。
その権利数は、コピー管理情報 (CCI: Copy Control Information)により、例えば２ビットで表せられる次の４つのモードにより指定される。
(１) コピーフリー  ： CCI=00 (Copy-free)
(2) コピー禁止    ： CCI=１１ (Copy-Never)
(3) １世代コピー可 ： CCI=１0 (Copy-one-generation, Copy-once)
(4) 再コピー禁止  ： CCI=0１ (Copy-no-more, No-more-copies)
このコピー管理情報はデジタル放送コンテンツに付される情報と同一であり、このコピー管理情報に従って受信番組の録画数やコピー方法を制限する。信号処理部Ａ１３は著作権管理情報部に記述される権利数を認識し、管理数が１の場合には受信されるコンテンツは１つの媒体にのみ記録可能ないわゆるコピーワンスの著作権制限付コンテンツであると認識する。
【００１６】
チェックアウト・イン管理情報にはコンテンツの複製、移動の履歴等が記録される。仮想ファイルフラグは書き戻しのための仮想ファイルであれば「１」が、主データと補助データが有効な実ファイルであるときには「０」が記録される。仮想ファイルと実ファイルの違いは、コンテンツが実際に再生可能であるかどうかで異なっている。主データ、補助データ、及び仮想ファイルフラグの部分を除いた著作権管理情報、及びヘッダ部は同じデータである。そして、ムーブしたコンテンツのファイルを元のメディアに書き戻す(移動)す際にはコンテンツの著作権情報の一致する仮想ファイルの領域に上書きで書き戻すようにすることにより、着脱可能な記録メディアＢ２１に複数のコンテンツが記録される場合、さらには複数の着脱可能な記録メディアが用いられる場合であっても、目的のコンテンツを該当する仮想ファイルの領域に書き戻すことができる。
【００１７】
次に、図３を用いて記録メディアＡ１５に記録されるコンテンツの状態について述べる。
同図において、（１）は番組Ａ〜Ｄを例えばハードディスクである記録メディアＡ１５の内周から外周に向けて記録した状態である。ここで番組Ｂはコピーワンスの制限の付された番組である。その番組Ｂを記録メディアＢ２１にコピーするときには、記録メディアＡ１５の番組Ｂを消去しなければならない。（２）は番組Ｂが消去された状態である。次に消去された領域に仮想ファイルを（３）のように記録する。（４）は記録メディアＢ２１にムーブされた番組Ｂを記録メディアＡ１５にムーブするようにして書き戻した状態である。この場合は（１）で記録されたと同じ位置に書き戻される。
ここで、記録メディアＡ１５の状態を、仮想ファイルを記録しない（２）の状態とするときには、その後に記録される番組は（５）に示す空き領域の個所である番組Ｅの位置などに記録される。その状態で番組Ｂの書き戻しを行うと（６）に示すように番組Ｂ１と番組Ｂ２に分割されて記録される。番組Ｃ及び番組Ｄは例えば２時間を超えるドラマや映画などの大容量のＡＶビットストリームであるため、それらの大容量ファイルをまたいで記録される番組Ｂ１の再生後に番組Ｂ２をアクセスして再生するためのアクセス時間が必要となり、その間再生されるビットストリームは不連続となる。その不連続な時間はメモリインタフェースＡ１４による一時記憶の機能によっても連続なビットストリームに修復出来ない時間である。
【００１８】
（７）は仮想ファイルを記録する実施例の応用である。即ち、記録メディアＡ１５に所定の圧縮率で符号化されて記録された番組Ｂを信号処理部Ｂ１６によりトランスコーディング（符号変換）して、容量の限定されている記録メディアＢ２１にムーブする。
受信されるデジタルコンテンツは、通常ＭＰＥＧ−２により圧縮符号化されている。その符号化されたデータ量を小さなデータ量の信号に変換する方法としては次がある。（ａ）コンテンツ圧縮フォーマットのままで冗長なスタフィングビットなどを削減する。（ｂ）コンテンツ圧縮フォーマットと同じ形式で、さらに圧縮率の高い信号に再エンコードする。（ｃ）コンテンツ圧縮フォーマットと異なる形式でさらに圧縮率の高い、例えばＭＰＥＧ−４やＨ．２６４などによる符号化方式でトランスコーディングを行う。
トランスコーディングされてデータ量が小さくされた場合は、書き戻しにより記録メディアＡ１５にムーブされる番組Ｂの容量も小さなデータ量でよい。従って、仮想ファイルのデータ量は符号化変換されて記録メディアＢ２１に記録されたと同じ程度のデータ量を確保しておけば良い。その場合は番組Ｆとして示す領域に新たな番組を記録しても記録メディアＢ２１に記録されるデータを分割することなく記録できるため、書き戻し動作前であっても空き領域に番組Ｆを記録することができる。記録メディアＡ１５の記録領域を有効に活用して記録することのできる応用例である。
【００１９】
図４を用い、コピーワンス（再コピー禁止）コンテンツのムーブ動作の流れについて更に述べる。Ｓ（ステップ）５１において、記録メディアＡ１５に記録される番組（コンテンツ）のタイトル一覧を作成する。作成されたタイトル一覧は操作表示部２５に表示される。Ｓ５２において、操作キー部２４を操作しムーブすべき番組を選択する。Ｓ５３で、システムコントローラ１８は記録メディアＢ２１にムーブすべき、図２に示したと同様の形式のファイルを作成する。Ｓ５４で符号化データを同一の符号化形式のデータでムーブするか、又はトランスコーディング（符号変換）により更に圧縮してムーブするかを選択する。Ｓ５５で、上記を基にヘッダの記述内容を、また著作権管理情報を更新する。Ｓ５６で記録メディアＡ１５に記録される形式のデータを、選択されたファイル形式のデータに信号処理部Ｂ１６で変換しながら記録メディアＢ２１に記録する。Ｓ５７では、記録メディアＡ１５に記録されるコンテンツデータを消去する。コンテンツデータの消去は、例えば記録メディアＡ１５に記録されるコンテンツのデータ領域の一部または全部に消去用データを再書込むなどにより行う。
【００２０】
Ｓ５８では、記録メディアＡ１５に書き戻しを行うために必要な記録領域を確保するための仮想ファイルを書きこむ。この仮想ファイルは記録メディアＢ２１のコンテンツを記録メディアＡ１５に書き戻すために必要かつ十分な容量のファイルである。仮想ファイルのファイル名等は書き戻すファイルと同一のヘッダ情報とする。著作権管理情報は、仮想ファイルフラグが「１」とされる他は書き戻すファイルと同一である。主データ及び補助データ領域には領域確保のためのデータ、ないしは意味のないデータが書き込まれていても良い。Ｓ５９では記録メディアＡ１５のファイルの再配置（デフラグメンテーション）を実行するか否かを操作表示部２５に表示し、操作キー部２４で「Ｙｅｓ」に係るキー操作がなされたときにはＳ６０で仮想ファイルの再配置を行う。ファイルの再配置はデフラグメンテーションを実行してファイルの断片化を解消する。操作キー部２４で「Ｎｏ」に係るキー操作がなされたとき、及びＳ６０の再配置によりファイルの断片化が解消されたときにコピー禁止コンテンツのムーブ動作を終了する。
【００２１】
図５を用いて再コピー禁止コンテンツの書き戻し動作について説明する。
操作キー部２４が操作されて記録メディアＢ２１から記録メディアＡ１５への書き戻し処理が開始されたときには、Ｓ７１で記録メディアＢ２１に記録されるコンテンツタイトルの一覧を操作表示部２５に表示する。Ｓ７２では書き戻されるコンテンツが操作キー部２４の操作により選択される。Ｓ７３では選択された記録メディアＢ２１に記録されるコンテンツの著作権情報と一致する仮想ファイルが記録メディアＡ１５に存在するか否かが検索される。Ｓ７４で記録メディアＡ１５に著作権情報などが一致する仮想ファイルが存在するとして検出された場合には、Ｓ７５で記録メディアＡ１５の仮想ファイルのヘッダ情報を書き戻しされる新たなファイルののヘッダ情報に更新すると共に、著作権管理情報のＩＤと、チェックアウト・イン管理情報の移動元、移動先、移動操作機器の各ＩＤ情報などを更新する。Ｓ７６で記録メディアＢ２１に記録されるコンテンツファイルを記録メディアＡ１５の仮想ファイルの領域に上書き記録する。ここで、Ｓ７４において著作権情報が一致する仮想ファイルが存在しないとして検出される場合には、記録メディアＡ１５にコンテンツをムーブするための新たなファイルを記録するものとし、新たなコンテンツ記録のための領域を確保する。記録メディアＢ２１に記録されるヘッダ、および著作権管理情報を記録メディアＡ１５に記録するためのものに更新する。Ｓ７８で記録メディアＢ２１に記録されるコンテンツを記録メディアＡ１５にコピーする。Ｓ７６によるコピー又はＳ７８によるコピーの終了後に、Ｓ７９で記録メディアＢ２１に記録されるファイルを消去し、再コピー禁止コンテンツの書き戻し動作を終了する。
【００２２】
以上、放送されて受信されるコピーワンスの著作権管理情報が付されるディジタルコンテンツのムーブ動作について述べた。そのディジタルコンテンツについては放送されるコンテンツの他にインターネットなどのネットワークを介して供給されるコンテンツについても同様に動作させることができる。
また、記録メディアＡ１５及び記録メディアＢ２１は再書込みが可能な媒体であれば、ハードディスク、光ディスク、磁気ディスク、半導体メモリなどで実現可能であり、記録形態は他のものであっても構わない。
そして、記録メディアＢ２１を着脱可能な記録媒体として述べたが、受信番組記録再生装置に有線、又は無線などのデジタルインターフェイスを介して結合される機器についても同様の効果を得ることができる。それはホームサーバに記録されるコピーワンスのコンテンツを、家庭内の他の部屋に配置されるＡＶ端末装置にムーブしてそれぞれの部屋で視聴した後に視聴し終えたコンテンツをホームサーバに書き戻す動作であっても良い。その場合は各部屋に配置される端末装置に設けられる操作部を操作し、より反応速度の早い特種再生を実行させることができる。
さらにまた、記録メディアＡ１５に記録されるコンテンツはＭＰＥＧ−２などにより圧縮符号化されたコンテンツとして述べたが、他の符号化形式により圧縮されたコンテンツ、又は非圧縮のコンテンツであっても構わない。
【００２３】
以上のように、本発明の実施例によれば、音声や動画像を含み１回のみコピーの許可される著作権保護がされているコンテンツ情報をダウンロードして保存用記録媒体に記録し、コンテンツ情報を保存用記録媒体１５から端末用記録媒体２１に移動した後、端末用記録媒体２１から保存用記録媒体１５に戻す際に、戻されて再生されるコンテンツ情報の音声や動画像が途切れることなく、保存用記録媒体１５にコンテンツ情報を再記録する著作権保護情報の管理方法を、保存用記録媒体１５から端末用記録媒体２１に移動するときには、保存用記録媒体１５に記録されているコンテンツ情報を端末用記録媒体２１に送ると共にコンテンツ情報を消去し、コンテンツ情報が記録されていた元の領域を保存用記録媒体に確保した後、コンテンツ情報を消去し、端末用記録媒体２１から保存用記録媒体１５に戻すときには、端末用記録媒体２１に記録されているコンテンツ情報を保存用記録媒体１５の記録領域に送ると共に消去するようにしているため、書き戻しされるコンテンツは連続的に保存用記録媒体１５に記録されるので、転送レートの高いビットストリームに対して、及び記録したコンテンツの早送り、早戻し等の特種再生（特殊再生）を行う場合であっても復号して得られる映像はスムーズな再生映像や雑音の含まれない音声信号を得ることのできる実施例の効果を有している。
また、保存用記録媒体に記録されているコンテンツ情報を圧縮して縮小されたデータサイズの圧縮変換情報を端末用記録媒体に送った後に保存用記録媒体に戻すときには、縮小されたデータサイズの記録領域に送るようにしているため、保存用記録媒体の記録領域を有効に活用するように改善した実施例による著作権保護情報の管理方法を実現できるなどユーザに対して利便性が得られる。
【産業上の利用可能性】
【００２４】
著作権が一世代のみ記録可として管理される映像、音声などのストリームで形成されるコンテンツを第１の記録媒体に記録し、記録されたコンテンツを第２の記録媒体にムーブした後に第１の記録媒体に書き戻す機能を有する信号記録再生装置に適用できる。
【図面の簡単な説明】
【００２５】
【図１】本発明の実施に係る受信番組記録再生装置の概略構成を示した図である。
【図２】著作権管理に係るコンテンツデータの構造を示した図である。
【図３】本発明の実施に係り記録媒体に記録される番組の記録領域を例示した図である。
【図４】本発明の実施に係る再コピー禁止コンテンツのムーブに係る動作を示すフローチャートである。
【図５】本発明の実施に係る再コピー禁止コンテンツの書き戻しに係る動作を示すフローチャートである。
【符号の説明】
【００２６】
１１    チューナ
１２    データデコーダ
１３    信号処理部Ａ
１４    メモリインタフェースＡ
１５    記録メディアＡ
１６    信号処理部Ｂ
１７    機器ＩＤメモリ
１８    システムコントローラ
１９    メモリインタフェースＢ
２１    記録メディアＢ
２２    映像出力部
２３    音声出力部
２４    操作キー部
２５    操作表示部
【図１】
2005348091.tif 000003
【図２】
2005348091.tif 000004
【図３】
2005348091.tif 000005
【図４】
2005348091.tif 000006
【図５】
2005348091.tif 000007